(57)【要約】  モビリティ情報のレポートを改善するための方法及び装置が開示される。ＬＴＥ  ＵＥといった移動端末における実装のために好適な例としての方法は、アイドル状態から接続済み状態への遷移を検出（４１０）することにより開始する。移動端末は、続いて、当該遷移に応じて又は遷移に関連して、ネットワークへモビリティ情報を送信（４２０）する。ネットワークへ送信されるモビリティ情報は、最近訪問したセルのリストを含み、各セルでの滞在時間を指定する情報、又は各セルでのＵＥの時間を導出するために使用され得るタイムスタンプ情報を含む、いくつかの情報要素又は情報タイプのうち１つ以上を含む。ＧＰＳベースのスピード情報又は他の汎用的なスピード情報が含まれ得る。基地局及び対応する装置における実装のための補完的な方法についても開示される。【選択図】図４
2015527842.tif 000002
【特許請求の範囲】
【請求項１】
無線通信ネットワークにおいて動作する移動端末において実装される、モビリティレポート情報を改善するための方法であって、
前記移動端末についてのアイドル状態から接続済み状態への遷移を検出すること（４１０）と、
検出される前記遷移に応じて又は前記遷移に関連して、前記無線通信ネットワーク内の基地局へモビリティ情報を送信すること（４３０）と、
を含むことを特徴とする方法。
【請求項２】
前記基地局へモビリティ情報を送信すること（４３０）は、前記無線通信ネットワークとの無線リソース制御接続の確立を要求するメッセージに前記モビリティ情報の少なくともある部分を含めること、を含む、請求項１の方法。
【請求項３】
前記基地局へモビリティ情報を送信すること（４３０）は、前記無線通信ネットワークとの無線リソース制御接続のセットアップの完了を示すメッセージに前記モビリティ情報の少なくともある部分を含めること、を含む、請求項１又は２の方法。
【請求項４】
前記基地局へモビリティ情報を送信すること（４３０）は、無線リソース制御再構成手続の一部として送信されるメッセージに前記モビリティ情報の少なくともある部分を含めること、を含む、請求項１〜３のうちいずれかの方法。
【請求項５】
前記モビリティ情報を送信する前に、前記無線通信ネットワークから構成データを受信すること（４２０）、をさらに含み、
前記構成データは、前記モビリティ情報をレポートするためのフォーマットを指定し、若しくはレポートするセルの数を指定し、又はその両方を指定する、請求項３又は４の方法。
【請求項６】
前記移動端末について最後に訪問したセルを識別する情報を含むモビリティレポートを形成することにより、前記モビリティ情報を編成すること、をさらに含む、請求項１〜５のうちいずれかの方法。
【請求項７】
識別される前記セルの数を所定の数に制限すること、若しくは識別される前記セルを前記レポートが形成される前のある時間内に訪問されたセルに制限すること、又はその両方をさらに含む、請求項６の方法。
【請求項８】
まさに最後に訪問されたセルを前記モビリティレポートから省略することをさらに含む、請求項６又は７の方法。
【請求項９】
識別される各セルに滞在した時間、若しくは識別される各セルについての１つ以上のタイムスタンプ、又はその両方を示す情報を、前記モビリティレポートに含めることをさらに含み、当該タイムスタンプから、識別される各セルに滞在した時間が計算され得る、請求項６〜８のうちいずれかの方法。
【請求項１０】
ＧＰＳ（Global  Positioning  System）受信器又は他のＧＮＳＳ（Global  Navigation  Satellite  System）受信器から取得されるスピード情報を、送信される前記モビリティ情報に含めることをさらに含む、請求項１〜９のうちいずれかの方法。
【請求項１１】
送信される前記モビリティ情報は、ドップラー測定、Ｗｉ−Ｆｉ測位ソリューション、及び他のローカルエリア測位技術のうち少なくとも１つから判定されるスピード情報を搬送する汎用的な情報要素を含む、請求項１〜１０のうちいずれかの方法。
【請求項１２】
送信される前記モビリティ情報は、前記移動端末により検出されたが訪問されていないセルのリスト、及び各セルについての対応するタイムスタンプ情報を含む、請求項１〜１１のうちいずれかの方法。
【請求項１３】
送信される前記モビリティ情報は、使用される又は測定される１つ以上のＷｉ−Ｆｉアクセスポイントからの測位情報をさらに含む、請求項１〜１２のうちいずれかの方法。
【請求項１４】
無線通信ネットワークにおいて動作する基地局において実装される、モビリティレポート情報を改善するための方法であって、
アイドル状態から接続済み状態への遷移に応じて又は遷移に関連して、移動端末により送信されるモビリティ情報を受信すること（５２０）と、
受信される前記モビリティ情報に基づいて、前記移動端末についての初期スピード推定を判定すること（５３０）と、
を含むことを特徴とする方法。
【請求項１５】
前記無線通信ネットワークとの無線リソース制御接続の確立を要求するメッセージ内で、前記モビリティ情報の少なくともある部分を受信すること、を含む、請求項１４の方法。
【請求項１６】
前記無線通信ネットワークとの無線リソース制御接続のセットアップの完了を示すメッセージ内で、前記モビリティ情報の少なくともある部分を受信すること、を含む、請求項１４又は１５の方法。
【請求項１７】
無線リソース制御再構成手続の一部として送信されるメッセージ内で、前記モビリティ情報の少なくともある部分を受信すること、を含む、請求項１４〜１６のうちいずれかの方法。
【請求項１８】
前記モビリティ情報を受信する（５２０）前に前記移動端末に構成データを送信すること（５１０）、をさらに含み、
前記構成データは、前記モビリティ情報をレポートするためのフォーマットを指定し、若しくはレポートするセルの数を指定し、又はその両方を指定する、請求項１６又は１７の方法。
【請求項１９】
無線通信ネットワークにおける動作のために適合される移動端末（６００）であって、
無線ユニット（６１０）と、
処理ユニット（６２０）と、
を含み、
前記処理ユニット（６２０）は、前記移動端末（６００）についてのアイドル状態から接続済み状態への遷移を検出し、
検出される前記遷移に応じて又は前記遷移に関連して、前記無線ユニット（６１０）を使用して、前記無線通信ネットワーク内の基地局へモビリティ情報を送信する、ように構成される、
ことを特徴とする移動端末（６００）。
【請求項２０】
前記処理ユニット（６２０）は、前記無線通信ネットワークとの無線リソース制御接続の確立を要求するメッセージに前記モビリティ情報の少なくともある部分を含めるように構成される、請求項１９の移動端末（６００）。
【請求項２１】
前記処理ユニット（６２０）は、前記無線通信ネットワークとの無線リソース制御接続のセットアップの完了を示すメッセージに前記モビリティ情報の少なくともある部分を含めるように構成される、請求項１９又は２０の移動端末（６００）。
【請求項２２】
前記処理ユニット（６２０）は、無線リソース制御再構成手続の一部として送信されるメッセージに前記モビリティ情報の少なくともある部分を含めるように構成される、請求項１９〜２１のうちいずれかの移動端末（６００）。
【請求項２３】
前記処理ユニット（６２０）は、前記モビリティ情報を送信する前に、前記無線通信ネットワークから構成データを受信するようにさらに構成され、
前記構成データは、前記モビリティ情報をレポートするためのフォーマットを指定し、若しくはレポートするセルの数を指定し、又はその両方を指定する、請求項２１又は２２の移動端末（６００）。
【請求項２４】
前記処理ユニット（６２０）は、前記移動端末（６００）について最後に訪問したセルを識別する情報を含むモビリティレポートを形成することにより、前記モビリティ情報を編成する、ように構成される、請求項１９〜２３のうちいずれかの移動端末（６００）。
【請求項２５】
前記処理ユニット（６２０）は、識別される前記セルの数を所定の数に制限し、若しくは識別される前記セルを前記レポートが形成される前のある時間内に訪問されたセルに制限し、又はその両方を制限する、ように構成される、請求項２４の移動端末（６００）。
【請求項２６】
前記処理ユニット（６２０）は、まさに最後に訪問されたセルを前記モビリティレポートから省略するように構成される、請求項２４又は２５の移動端末（６００）。
【請求項２７】
識別される各セルに滞在した時間、若しくは識別される各セルについての１つ以上のタイムスタンプ、又はその両方を示す情報を、前記モビリティレポートに含めることをさらに含み、当該タイムスタンプから、識別される各セルに滞在した時間が計算され得る、請求項２４〜２６のうちいずれかの移動端末（６００）。
【請求項２８】
ＧＰＳ（Global  Positioning  System）受信器又は他のＧＮＳＳ（Global  Navigation  Satellite  System）受信器をさらに含み、
前記処理ユニット（６２０）は、前記ＧＰＳ受信器又は他のＧＮＳＳ受信器から取得されるスピード情報を、送信される前記モビリティ情報に含めるようにさらに構成される、請求項１９〜２７のうちいずれかの移動端末（６００）。
【請求項２９】
前記処理ユニット（６２０）は、ドップラー測定、Ｗｉ−Ｆｉ測位ソリューション、及び他のローカルエリア測位技術のうち少なくとも１つから判定されるスピード情報を搬送する汎用的な情報要素を、前記モビリティ情報に含めるようにさらに構成される、請求項１９〜２８のうちいずれかの移動端末（６００）。
【請求項３０】
送信される前記モビリティ情報は、前記移動端末（６００）により検出されたが訪問されていないセルのリスト、及び各セルについての対応するタイムスタンプ情報を含む、請求項１９〜２９のうちいずれかの移動端末（６００）。
【請求項３１】
無線通信ネットワークにおける動作のために適合される基地局（７００）であって、
無線ユニット（７１０）と、
処理ユニット（７２０）と、
を含み、
前記処理ユニット（７２０）は、前記無線ユニット（７１０）を介して、アイドル状態から接続済み状態への遷移に応じて又は遷移に関連して、移動端末により送信されるモビリティ情報を受信し、
受信される前記モビリティ情報に基づいて、前記移動端末についての初期スピード推定を判定する、ように構成される、
ことを特徴とする基地局（７００）。
【請求項３２】
前記処理ユニット（７２０）は、前記無線通信ネットワークとの無線リソース制御接続の確立を要求するメッセージ内で、前記モビリティ情報の少なくともある部分を受信する、ように構成される、請求項３１の基地局（７００）。
【請求項３３】
前記処理ユニット（７２０）は、前記無線通信ネットワークとの無線リソース制御接続のセットアップの完了を示すメッセージ内で、前記モビリティ情報の少なくともある部分を受信する、ように構成される、請求項３１又は３２の基地局（７００）。
【請求項３４】
前記処理ユニット（７２０）は、無線リソース制御再構成手続の一部として送信されるメッセージ内で、前記モビリティ情報の少なくともある部分を受信するように構成される、請求項３１〜３３のうちいずれかの基地局（７００）。
【請求項３５】
前記処理ユニット（７２０）は、前記モビリティ情報を受信する前に前記移動端末へ構成データを送信する、ようにさらに構成され、
前記構成データは、前記モビリティ情報をレポートするためのフォーマットを指定し、若しくはレポートするセルの数を指定し、又はその両方を指定する、
請求項３３又は３４の基地局（７００）。
【発明の詳細な説明】
【技術分野】
【０００１】
［関連出願］
本出願は、２０１２年８月３日に提出された米国仮出願第ＵＳ６１／６７９，１３６号の利益及び優先権を主張する。当該米国仮出願の全体の内容は、参照によりここに取り入れられる。
【背景技術】
【０００２】
３ＧＰＰ（3rd  Generation  Partnership  Project）は、ＬＴＥ（Long  Term  Evolution）及びＳＡＥ（System  Architecture  Evolution）の概念からなるＥ−ＵＴＲＡＮ（Evolved  Universal  Terrestrial  Radio  Access  Network）を仕様化するその作業を継続している。ＲＡＮ２ワーキンググループでは、ヘテロジーニアスネットワーク（ＨｅｔＮｅｔ）のモビリティ拡張に関する検討事項がＬＴＥのためのリリース１１仕様の開発の一部として進行中である。
【０００３】
ＨｅｔＮｅｔでは、既存のホモジーニアスネットワークに、追加的な低電力で複雑度の低い基地局が重畳される。このアプローチは、マクロの高密度化及び基地局のアップグレードのコスト及び／又はキャパシティの制限を緩和するものと期待される。しかしながら、ＨｅｔＮｅｔに伴う課題の１つは、システム性能を最適化するためにＬＴＥネットワークのための既存のモビリティ手続を改定する必要性である。
【０００４】
ＨｅｔＮｅｔについてモビリティ手続を改善するそれら取り組みにおける焦点領域は、スピード推定、即ち、特定の移動端末（３ＧＰＰの用語では“ユーザ機器”又は“ＵＥ”、但し移動端末、移動局、無線端末などと互換可能に呼ばれることが多い）のスピードを判定する方法に関係する。ＬＴＥネットワークのための現行の仕様によれば、スピード推定は、ＵＥ又はネットワーク側のいずれかで判定されることができる。これら技法を、ここではそれぞれ“ＵＥベーススピード推定”及び“ネットワークベーススピード推定”という。
【０００５】
ＵＥベースのスピード推定
モビリティ状態推定（ＭＳＥ）は、特定の時間ピリオドの期間中にハンドオーバ又はセル再選択の数をＵＥがカウントするという概念である。ＭＳＥは、無線リソース制御（ＲＲＣ）接続済み状態及びアイドルモードの双方において、ＵＥにより実行されることができる。ＲＲＣ接続済み状態では、あるモビリティ測定関連パラメータをスケーリングするために、ＭＳＥを使用することができる。例えば、そのようにネットワークにより構成される場合に、ＵＥは、ＵＥモビリティ状態の検出に基づいて、Ａ３イベントのtimeToTriggerパラメータをスケーリングすることができる（３ＧＰＰ文書“Radio  Resource  Control  (RRC)  Protocol  Specification”（3GPP  TS  36.331,  v.10.6.0,  July  2012）参照、www.3gpp.orgにおいて利用可能)。
【０００６】
ＭＳＥは、もともとはホモジーニアスなネットワーク配備において作動するように設計された。ヘテロジーニアスなネットワーク配備においては、しかしながら、セルは幅広く変化するサイズを有するかもしれず、それは所与のネットワーク配備を通って同じスピードで移動するＵＥがそれらがとるルートに依存して異なるハンドオーバカウントを取得し得ることを意味する。これを図１において見ることができ、例えば図１は、各々がマクロ基地局１１５によりサービスされる複数のマクロセル１１０を描いており、マクロセル１１０には複数のスモールセル１２０が重畳されている。図示されたＵＥ１３０の双方が図示されたエリアを通って進む際にマクロセル及びスモールセルの相応を検出するものと仮定すると、ＵＥ  Ａ及びＵＥ  Ｂが同一のスピードで移動し同様の距離を進むとしても、図示されたルートについて、ＵＥ  Ａは、ＵＥ  Ｂ（７）よりも低いハンドオーバカウント（３）を取得するであろう。
【０００７】
変化するセルサイズを伴うヘテロジーニアスなネットワーク配備において、ＵＥベースのモビリティ状態推定がより良く作動するためにどのように改善され得るかについて、様々な提案が行われてきた。しかしながら、ＵＥベースのＭＳＥには考慮すべき多くの問題が存在する。第１に、ほとんどの提案に共通するのが、モビリティ状態の計算時にセルサイズをなんらかの形で考慮に入れるということである。当然ながら、それが行われるために、ＵＥはセルサイズについて通知されなければならない。これはネットワークからＵＥへのシグナリングの労力を増加させ、セルサイズを知ることから得られるいかなる利益も、この増加するシグナリングの労力と対比されるべきである。第２に、現在標準化されているセルサイズ情報は、十分に正確かつ精密ではない。これがネットワークベースのスピード推定との差異であり、ＯＡＭ（Operations,  Administration,  and  Maintenance）構成は、この情報の粒度を拡張するために用いられ得る。第３に、セルの形状もＭＳＥに影響する。例えば、より高度なマクロセルのセクタ化はＭＳＥに影響するであろうが、セルは依然としてマクロセルである。このこともやはり、ＵＥには明らかではないであろうが、ネットワークレベルでは知られ得る。最後に、セルレンジ拡張もセルサイズに影響し、ひいてはＭＳＥに影響するであろう。
【０００８】
ネットワークベースのスピード推定
ネットワーク側においては、例えば、小さなセルに高速で移動するＵＥのハンドオーバを回避するために、ＵＥスピードの知識はハンドオーバの決定に対する重要な入力である。ＵＥ履歴情報（UE  History  Information）は、ＵＥがハンドオーバを実行している際にｅＮＢ間で交換される。より具体的には、情報要素（ＩＥ；Information Element）UE  History  Informationは、ＵＥがアクティブ状態において、ターゲットセルにハンドオーバされる前にサービスされていたセル群に関する情報を含む。セルに関する当該情報は、グローバルセルＩＤ、セルタイプ（大、中、小、極小）、及びＵＥが各セルに滞在した時間を含む。
【０００９】
この情報を用いて、ネットワークは、ＵＥスピードの大まかな推定を形成することができる。推定は、配備、位置、送信電力、アンテナ構成といった、セルに関するより詳細な情報も考慮することにより改善され得る。
【００１０】
ネットワーク側のスピード推定において更なる改善を可能にするために、例えば、無線リンク障害（Radio  Link  Failure；ＲＬＦ）レポートと同じフォーマットで、キロメートル／時間でのより汎用的なスピード推定を追加することにより、UE  History  Information  ＩＥ内の最終訪問セル（Last  Visited  Cell）パラメータをエンハンスすることが提案されてきた。ｅＮＢ間でモビリティ履歴を知らせるための汎用的なフォーマットが利用可能となるとしても、スピード推定処理の詳細はネットワーク実装に委ねられるであろう。
【００１１】
ネットワークベースのスピード推定は、ネットワークに接続された、即ちＲＲＣ接続済み状態のＵＥについてのみ作動する。ネットワークに接続されていないＵＥ、即ち、アイドル状態のＵＥは、ネットワークにセル変更をレポートしないであろう。結果的に、ネットワークは、アイドルモードのＵＥにより横断されたセル境界の数の知識を有しない。ネットワークベースのスピード推定についての１つの問題は、ＵＥがアイドル状態と接続済み状態との間を頻繁に移動することである。これは、例えば、スマートフォンで小さな孤立したパケットを時々送信し、送信と送信との間長時間休止している場合であり得る。このようなユーザについて結果として生じる問題は、ネットワークが信頼できるスピード推定のための十分なハンドオーバ統計を収集することができないということである。
【発明の概要】
【発明が解決しようとする課題】
【００１２】
上述したように、ネットワークベースのスピード推定は、ネットワークへ接続されたＵＥについてのみ、即ちＲＲＣ接続済み状態において作動する。ネットワークへ接続されていないＵＥ、即ちアイドル状態にあるＵＥは、ネットワークへセル変更をレポートしないであろう。よって、ネットワークは、ＵＥにより横断されたセル境界の数の知識を有しない。頻繁に接続済みからアイドル状態へ変化し及び再び元へ戻るＵＥについて、１つの問題は、ネットワークが信頼できるスピード推定のための十分なハンドオーバ統計を全く収集することができないであろうということである。従って、ＵＥのスピードを推定するための改善された手続が必要とされる。
【課題を解決するための手段】
【００１３】
アイドルから接続済みへの遷移におけるＵＥベースのＭＳＥの不正確性の問題に対処するために、本発明のいくつかの実施形態に従って構成されるＵＥは、ネットワークにそのスピードを通知するために、ＲＲＣ接続確立メッセージといったＲＲＣメッセージに追加的な情報を追加する。この追加的な情報は、発明の様々な実施形態において、以下のうち１つ以上を含む。
１．最近訪問したセルのリスト。各セルの滞在時間を指定する情報、又は各セルにおけるＵＥの時間を導出するために使用され得るタイムスタンプ情報を含む。ネットワークは、この情報を使用して、ハンドオーバベースのスピード推定を初期化することができる。
２．ＧＰＳ（Global  Positioning  System）ベースのスピード情報。多くのＵＥは、組み込まれたＧＰＳ受信器を有し、ＧＰＳ受信器は、それが有効化されている場合に正確なスピード情報を提供することができる。
３．ソースとは独立した、汎用スピード情報。
【００１４】
無線通信ネットワークにおいて動作する移動端末において実装される、モビリティレポート情報を改善するための例としての方法は、アイドル状態から接続済み状態への遷移を検出することにより開始する。移動端末は、続いて、当該遷移に応じて又は遷移に関連して、ネットワークへモビリティ情報を送信する。ネットワークへ送信されるモビリティ情報は上記で要約された追加的な情報タイプのうちいずれかを含む、１つ以上の様々な情報要素を含む。
【００１５】
いくつかの場合において、移動端末は、モビリティ情報を送信する前に無線通信ネットワークから構成データを受信する。この構成データは、モビリティ情報をレポートするためのフォーマットを指定し、若しくはレポートするセルの数を指定し、又はその両方を指定する。
【００１６】
いくつかの実施形態では、基地局へ送信されるモビリティ情報の少なくともある部分は、無線通信ネットワークとの無線リソース制御（ＲＲＣ）接続の確立を要求するメッセージに含まれる。例えば、ＬＴＥネットワークでは、モビリティ情報の全て又は一部は、RRCConnectionRequestメッセージ内において送信され得る。いくつかの実施形態では、モビリティ情報の少なくともある部分は、ＬＴＥネットワークでのRRCConnectionSetupCompleteメッセージといった、無線通信ネットワークとのＲＲＣ接続のセットアップの完了を示すメッセージ内において送信され得る。さらに他の実施形態では、基地局へ送信されるモビリティ情報の全て又は一部は、ＲＲＣ再構成手続きの一部として送信されるメッセージ、例えば、RRCConnectionReconfigurationCompleteメッセージの一部として含まれ得る。
【００１７】
前述の実施形態のいずれも、移動端末について最後に訪問したセルを識別する情報を含むモビリティレポートを形成することにより、モビリティ情報を編成することをさらに含んでよい。いくつかの場合には、移動端末は、識別されるセルの数を所定の数に制限し、若しくは識別されるセルをレポートが形成される前のある時間内に訪問されたセルに制限し、又はその両方を制限するように構成される。これらの実施形態のうちいくつかにおいては、移動端末は、まさに最後に訪問されたセルをモビリティレポートから省略する。これらのうちいくつかの及び他の実施形態では、モビリティレポートは、識別される各セルに滞在した時間、若しくは識別される各セルについての１つ以上のタイムスタンプ、又はその両方を示す情報を含んでもよい。識別される各セルに滞在した時間が、当該タイムスタンプから計算され得る。
【００１８】
前述の実施形態のいずれにおいても、送信されるモビリティ情報は、ＧＰＳ（Global  Positioning  System）受信器又は他のＧＮＳＳ（Global  Navigation  Satellite  System）受信器から取得されるスピード情報を含んでもよい。送信されるモビリティ情報は、ドップラー測定、Ｗｉ−Ｆｉ測位ソリューション、及び他のローカルエリア測位技術のうち少なくとも１つから判定されるスピード情報を搬送する汎用的な情報要素を含んでもよい。いくつかの実施形態では、送信されるモビリティは、移動端末により検出されたが訪問されていないセルのリスト、及び各セルについての対応するタイムスタンプ情報も含んでもよい。
【００１９】
ＬＴＥ  ｅＮｏｄｅＢといった基地局における実装に好適な補完的な方法についても以下で詳細に述べる。例としての方法は、移動端末への構成情報の任意的な送信により開始し、構成データは、モビリティ情報をレポートするためのフォーマットを指定し、若しくはレポートするセルの数を指定し、又はその両方を指定する。方法は、アイドル状態から接続済み状態への遷移に応じて又は遷移に関連して、移動端末により送信されるモビリティ情報を受信することにより継続する。モビリティ情報は、上で要約され以下で詳細に述べる情報要素及び／又は情報タイプのいずれかを含み得る。方法は、受信されるモビリティ情報に基づいて、移動端末についての初期スピード推定を判定することにより継続する。
【００２０】
これらの実施形態のうちいくつかでは、モビリティ情報の少なくともある部分は、無線通信ネットワークとのＲＲＣ接続の確立を要求するメッセージ内において受信される。いくつかの実施形態では、モビリティ情報の全ての部分は、無線通信ネットワークとのＲＲＣ接続のセットアップの完了を示すメッセージ内において受信される。この情報は、例えば、RRCConnectionSetupCompleteメッセージ内において受信され得る。同様に、モビリティ情報のある部分又は全ては、ＲＲＣ再構成手続の一部として送信されるメッセージ内において受信され得る。
【００２１】
発明の実施形態は、上で要約された方法又はその変化形を実行するための適切なソフトウェアで構成される処理回路を含む移動端末装置も含み、同様に、対応する基地局装置も含み得る。
【図面の簡単な説明】
【００２２】
本明細書中の実施形態の例は、添付図面を参照してより詳細に説明される。
【００２３】
【図１】ヘテロジーニアスモバイル通信ネットワークにおける移動端末により取られる代替のパスを示す。
【図２】例としてのＲＲＣ接続確立手続を示す。
【図３】例としてのＲＲＣ接続再構成手続を示す。
【図４】移動端末における、モビリティレポート改善のための例としての方法を示す処理フロー図である。
【図５】基地局における、モビリティレポート改善のための例としての方法を示す処理フロー図である。
【図６】例としての移動端末のコンポーネントを示すブロック図である。
【図７】例としての基地局のコンポーネントを示すブロック図である。
【００２４】
当然ながら、本明細書中の実施形態は、上記特徴及び利点に限定されない。実際には、当業者は、以下の詳細な説明を読み添付の図面を見ることにより、追加的な特徴及び利点を認識するであろう。
【発明を実施するための形態】
【００２５】
例示の目的で、本発明のいくつかの実施形態は、ＬＴＥ（Long-Term  Evolution）システムを背景として説明されるであろう。しかしながら、本発明のいくつかの実施形態は、例えば、ＷｉＭａｘ（ＩＥＥＥ  ８０２．１６）システムを含む、より広く他の無線通信システムに適用可能であり得ることが、当業者には明らかであろう。
【００２６】
以下の説明において、基地局は、ＬＴＥ基地局についての３ＧＰＰ用語であるｅＮｏｄｅＢ又はｅＮＢとしてしばしば記載され、一方、移動端末は、“ユーザ機器”又は“ＵＥ”として言及され得る。この３ＧＰＰ用語の使用は非限定的なものであり、他の基地局及び移動端末が使用され得ると理解されるべきである。本明細書で説明される技術は、３ＧＰＰにより標準化されるもの以外のシステムを含む、他の種類の通信システムに適用され得る。同様に、本明細書で言及される移動端末は、例えば、携帯電話、スマートフォン、ＰＤＡ、又はラップトップコンピュータを含む、そのようなシステムの使用に適合される様々な種類のデバイスのいずれにも対応し得る。
【００２７】
上述したように、ネットワークベースのスピード推定は、ネットワークに接続されたＵＥ、即ちＲＲＣ接続済み状態のみにおいて作動する。ネットワークに接続されていないＵＥ、即ちアイドル状態にあるＵＥは、ネットワークにセル変更をレポートしないであろう。よって、ネットワークは、ＵＥにより横断されたセル境界の数の知識を有しない。頻繁に接続済みからアイドル状態へ変化し及び再び元へ戻るＵＥについて、１つの問題は、ネットワークが信頼できるスピード推定のための十分なハンドオーバ統計を全く収集することができないであろうということである。
【００２８】
アイドルモードにあるＵＥは、３ＧＰＰ文書“Evolved  Universal  Terrestrial  Radio  Access  (E-UTRA);  User  Equipment  (UE)  procedures  in  idle  mode”（3GPP  TS  36.304,  v.10.6.0  (July  2012)、www.3gpp.orgにおいて利用可能）の5.2.4.3章で仕様化された、モビリティ状態推定（ＭＳＥ）を実行することができる。よって、上述した問題の１つの解決策は、アイドルからアクティブへの遷移後に、ＵＥがそのアイドルモードＭＳＥをｅＮｏｄｅＢへ送信することであるかもしれない。これは、ＵＥについてのモビリティ状態の初期ビューをネットワークに与え、ＵＥのモビリティのより正確な判定が実行され得るまで、ＵＥのスピードの初期推定ができるようにもする。しかしながら、このアプローチでは、ＵＥにより再度計算されるモビリティ状態の推定は、上述した背景技術で説明した不正確性に見舞われる。例えば、ＵＥは、それが通過するセルのサイズを知らないため、ＵＥスピードのネットワークの初期推定は、ヘテロジーニアス配備における不十分な正確性に見舞われるであろう。
【００２９】
本発明の様々な実施形態は、ＵＥのスピードをネットワークに通知するために、ＵＥからネットワークに追加的な情報を送信することにより、これらの問題に対処する。以下の説明において“モビリティ情報”と呼ばれるこの追加的な情報は、ＵＥのアイドル状態から接続済み状態への遷移時に、又は遷移に応じて送信される。送信される可能性のあるモビリティ情報の種類は、以下でより詳細に説明する。
【００３０】
ＥＵＴＲＡＮ（Enhanced  Universal  Terrestrial  Access  Network、ＬＴＥネットワークについての正式名称）を背景とするＲＲＣ接続確立手続が、図２に示されている。図に見られるように、ＵＥは、RRCConnectionRequestメッセージを送信することにより、当該手続を開始する。ネットワークは、RRCConnectionSetupメッセージで（ｅＮＢを介して）応答する。ＵＥは、RRCConnectionSetupCompleteメッセージで、当該手続を完了する。
【００３１】
発明のいくつかの実施形態において、ＵＥによりネットワークへ送信されるモビリティ情報は、RRCConnectionRequestメッセージに含まれ、よって、RRCConnectionRequestメッセージは現在の標準に対して修正される。他の実施形態では、モビリティ情報は、修正されたRRCConnectionSetupCompleteメッセージ内において送信される。
【００３２】
当然のことながら、RRCConnectionSetupCompleteメッセージ内において情報を送信することにはいくつかの利点がある。１つの利点は、このメッセージがＲＬＣ確認応答モードで送信され、サイズにあまり制限がないことである。さらに、RRCConnectionSetupCompleteメッセージを使用することにより、レポートされるリストのフォーマット、例えば、レポートするセルの数をネットワークが構成することが可能にもなる。よって、RRCConnectionSetupCompleteメッセージを介して情報を送信するように適合されるいくつかの実施形態は、RRCConnectionSetupCompleteメッセージを送信する前にネットワークから構成データを受信するようにも適合される。構成データは、レポートのフォーマット及び／若しくはレポートするセルの数、又は両者の何らかの組み合わせを指定する。
【００３３】
他の実施形態では、モビリティ情報は、ＲＲＣ接続確立の期間中よりもむしろ、ＲＲＣ接続再構成手続の期間中にＵＥによりネットワークへ送信される。図３に、例としての再構成手続が示されている。ネットワークは、当該手続を開始するために、まずRRCConnectionReconfigurationメッセージを送信する。ＵＥは、RRCConnectionReconfigurationCompleteメッセージで応答する。追加的なモビリティ情報は、図３に示す修正されたRRCConnectionReconfigurationCompleteメッセージの一部として送信され得る。
【００３４】
上述したアプローチは互いに排他的ではなく、共に連結され得ることに留意すべきである。また、既存の標準と比較して、ＵＥにより送信される追加的なモビリティ情報についての様々な代替手段が以下で説明される。この場合も同様に当然のことながら、これらの代替手段は互いに排他的ではなく、本発明の様々な実施形態に結合され得る。
【００３５】
最後に訪問した（又は最近訪問した）セル情報
上述した技術に従って送信される可能性のあるモビリティ情報の一例は、ＵＥについての最後に訪問した（即ち、最も最近訪問した）セルに関する情報を含むモビリティレポートである。例えば、各セルでの滞在時間を含む、いくつかの（例えば１６個の）最後に訪問したセルが識別されるかもしれない。代替手段は、レポートが形成される前のある時間内に訪問したセルに関する情報をこのレポートに含めることである。この代替手段の変化形は、レポートされるセルの数について、例えば、所与の時間フレーム内の最近訪問したセルを１６個までとする等の制限を加えることである。
【００３６】
訪問済みセルについてレポートされる情報は、接続済みモードのハンドオーバ時にＸ２インタフェース上でｅＮｏｄｅＢにより使用されるUE  History  Information  ＩＥにおけるものと同様である。詳細には、３ＧＰＰ文書“Evolved  Universal  Terrestrial  Radio  Access  Network (E-UTRAN);  X2  application  protocol  (X2AP)”（3GPP  TS  36.423,  v.10.5.0  (March  2012)、www.3gpp.orgにおいて利用可能）の9.2.38章を参照。
【００３７】
しかしながら、様々な実施形態においてＵＥによりレポートされる情報にはいくつかの差異がある。例えば、１つの差異は、ＵＥがセルタイプについての情報を含むことができないであろうということである。セルタイプは、セルサイズ（大、中、小、極小）についての情報を含む。一方、スマートネットワーク実装は、レポートされるセルＩＤからこの情報を推測することができるであろう。
【００３８】
別の差異は、まさに最後に訪問したセルに対し、Ｘ２の場合とは異なる取り扱いをする必要があることである。Ｘ２の場合、まさに最後に訪問したセルは、ターゲットセルへのハンドオーバ前のセルであり、滞在時間は、当該セルに入ってから離れるまで当該セルに滞在した時間を反映する。一方、アイドルからアクティブに遷移する場合、まさに最後に訪問したセルは、ＵＥがアイドルからアクティブへの遷移を実行するセルである可能性があり、当該セルに滞在した時間は、セルに入ってからＲＲＣ  connection  requestメッセージを送信するまでの時間を反映する。これをハンドリングするために少なくとも２つの異なる方法が存在する。１つのアプローチは、まさに最後に訪問したセルをＵＥがモビリティレポートに含めることである。ＵＥスピードを判定する際に、当該セルにおいて費やされた対応する時間は、１つのセル全体を通しての移動に費やされる時間を反映しないということをネットワークは考慮に入れる。このアプローチの１つの動機付けは、それがＵＥの移動の直近の情報を与えるということである。よって、ＵＥがまだ１つのセル全体を横断してなくとも、それがＵＥのスピードの突然の変化の標識を与える可能性がある。第２のアプローチは、ＵＥがまだ１つのセル全体を横断していないため、レポートからまさに最後に訪問したセルを意図的に省略することである。
【００３９】
表１は、上述した技術に従ってＵＥにより送信される可能性のある、最後に訪問したセル情報についての例としてのフォーマットのいくつかの詳細を示す。このフォーマットは、最後に訪問したセル情報についてのｅＮＢからｅＮＢのレポートについて仕様化されているものと類似しているが、“セルタイプ”フィールドが除去されている。
【００４０】
【表１】
2015527842.tif 000003
【００４１】
ＧＰＳベースのスピード情報
多くのＵＥは、使用可能であれば正確なスピード情報を提供することができる、組み込まれたＧＰＳ受信器を有する。本発明のいくつかの実施形態において、上述した追加的なモビリティ情報は、このスピード情報を含み得る。この情報をｅＮＢへ送信することは、ネットワークベースのスピード推定機能を支援するであろう。ＧＰＳベースの情報と最後に訪問したセルのリストとの１つの差異は、ＵＥがしばらくの間接続済みモードである場合であっても、ＧＰＳ情報がネットワークについての追加の有用な情報を提供することである。その結果、発明のいくつかの実施形態では、この情報はＲＲＣ接続済み状態においても送信される。
【００４２】
このスピード情報をＵＥからｅＮＢへ送信するための１つの好適なフォーマットは、情報要素（ＩＥ）LocationInfoである。LocationInfoは、ＲＲＣ仕様書“Radio  Resource  Control  (RRC)  Protocol  Specification,”（3GPP  TS  36.331,  v. 10.6.0  (July  2012)、www.3gpp.orgにおいて利用可能）において既に定義されている。ＩＥのLocationInfoは、測定情報及びＵＥ位置情報を関連付けるために、ＵＥにおいて利用可能な詳細な位置情報を伝達するのに用いられる。
【００４３】
LocationInfo  ＩＥのスピード情報を含む部分は、horizontalVelocityである。horizontalVelocityは、３ＧＰＰ文書“Evolved  Universal  Terrestrial  Radio  Access  (E-UTRA);  LTE  Positioning  Protocol  (LPP)”（3GPP  TS  36.355,  v.10.5.0  (July  2012)、www.3gpp.orgにおいて利用可能）において定義され、方位（bearing）パラメータ（０から３５９までの整数、ＵＥの運動についての角度を表す）、及びhorizontalSpeedパラメータを含む。この情報は、ＵＥの動きのスピードを伝え、例えば、ネットワーク内のスピード推定機能を初期化するために使用され得る。方位情報は、ＵＥの動きの方向を伝え、将来のハンドオーバの必要性を予測するためにネットワークにより使用され得ることに留意されたい。
【００４４】
本発明の様々な実施形態においてＵＥからｅＮＢへ送信されるＧＰＳベースのスピード情報は、完全なlocationInfo、又は単なるhorizontalSpeedのいずれかであり得る。ＧＰＳ受信器は多くの電力を消費するため、常に使用可能にはできないことに留意すべきである。よって、HorizontalVelocity  ＩＥの送信は選択的、即ち、当該情報が利用可能である場合にのみ提供される。
【００４５】
汎用的なスピード情報
発明のいくつかの実施形態では、スピード情報についての汎用的な情報要素が定義される。この汎用的な情報要素は、スピード情報のソースから独立である。よって、ＵＥは、ドップラー測定といった、そのスピードを判定するためのいくつかの手段のうちいずれをも使用することができる。他の可能性は、特にＵＥが屋内にある場合にはＷｉＦｉ測位ソリューション、又は他のローカルエリア測位技術を含む。
【００４６】
幅広いＵＥの実装を促進するために、スピード推定の精度について要件が存在すべきでない。当然ながら、ネットワークはスピード推定を使用する際、このことを考慮に入れることも必要である。
【００４７】
ネットワーク側において、ハンドオーバ時にソースｅＮＢが汎用的なスピード情報要素をターゲットｅＮＢへ送信するという選択肢は、ＭＲＯ（Mobility  Robustness  Optimization）検討事項テクニカルレポートリリース１１［RAN3  X2  spec］の一部として言及されていることに留意すべきである。
【００４８】
タイムスタンプ
前述した技術と組み合わされることが可能な別の技術は、訪問した各セルについてタイムスタンプを付加することである。各タイムスタンプは、セル再選択が行われた絶対時間を反映する。このタイムスタンプ情報は、“セルに滞在した時間”情報に加えて、又はそれに代えて提供され得る。この情報から、ネットワークは、各セルに滞在した時間とともに、あるセルに入ってから現在の位置に到着するまでの時間を計算することができる。しかしながら、それは、共通の時間レファレンスも必要とするであろう。
【００４９】
測定されるセル
ＵＥは、タイムスタンプを含む、検出したが訪問していないセルのリストも含め得る。例えば、ネットワークは、別の周波数上のセル、又は例えばＷＬＡＮといった別の無線アクセス技術を表すセルについて測定するようにＵＥを構成してもよく、ＵＥは、そのような測定の結果をレポートしてもよい。
【００５０】
屋内での測位
使用される又は測定されるＷｉＦｉアクセスポイントから測位情報を導出することが可能ないくつかのＵＥアプリケーション（例えば、http://www.skyhookwireless.com）がある。ｅＮＢに中継される追加的なモビリティ情報はこの測位情報を含むことができ、いくつかの実施形態では、その場合に、ネットワークベースのスピード推定機能に入力される情報をネットワークが使用することができる。
【００５１】
よって、本発明の実施形態は、モビリティ情報のレポートを改善するための方法を含む。ＬＴＥ  ＵＥといった移動端末での実装に好適な例としての方法が、図４に示される。ブロック４２０（ブロック４１０については以下で述べる）に示されるように、図示される方法は、アイドル状態から接続済み状態への遷移を検出することを含む。ブロック４３０に示されるように、移動端末はその後、当該遷移に応じて又は遷移に関連して、ネットワークにモビリティ情報を送信する。ネットワークへ送信されるモビリティ情報は、上述した１つ以上の情報要素及び／又は情報タイプを含む。
【００５２】
上で示唆したように、いくつかの場合において、移動端末はモビリティ情報を送信する前に、無線通信ネットワークから構成データを受信する。この構成データは、モビリティ情報をレポートするためのフォーマット若しくはレポートするセルの数、又はその両方を指定する。しかしながら、図４のブロック４１０で示されるこのステップは、全ての実施形態に現れない可能性があり、及び／又は追加的なモビリティ情報が送信される度に使用されない可能性がある。その理由から、このステップは、図４の処理フロー図において“選択的に”と示されている。
【００５３】
いくつかの実施形態では、基地局へ送信されるモビリティ情報の少なくともある部分は、無線通信ネットワークとの無線リソース制御（ＲＲＣ）接続の確立を要求するメッセージ内に含まれる。例えば、ＬＴＥネットワークでは、モビリティ情報の全て又は一部は、RRCConnectionRequestメッセージ内において送信され得る。いくつかの実施形態では、モビリティ情報の少なくともある部分は、ＬＴＥネットワークにおけるRRCConnectionSetupCompleteメッセージといった、無線通信ネットワークとのＲＲＣ接続のセットアップ完了を示すメッセージ内において送信されてもよい。さらに他の実施形態では、基地局へ送信されるモビリティ情報の全て又は一部は、ＲＲＣ再構成手続の一部として送信されるメッセージ内、例えば、RRCConnectionConfigurationCompleteメッセージの一部として含まれてもよい。
【００５４】
先の実施形態のいずれも、移動端末についての最後に訪問したセルを識別する情報を含むモビリティレポートを形成することによりモビリティ情報を編成すること、をさらに含んでよい。いくつかの場合においては、移動端末は、識別されるセルの数を所定の数に制限するように、若しくは識別されるセルをレポートが形成される前のある時間内に訪問されたセルに制限するように、又はその両方を制限するように構成される。これらの実施形態のうちいくつかでは、移動端末は、まさに最後に訪問したセルをモビリティレポートから省略する。これらの実施形態のうちいくつか、及び他の実施形態において、モビリティレポートは、識別される各セルに滞在した時間、若しくは、識別される各セルに滞在した時間がそこから計算され得る、識別される各セルについての１つ以上のタイムスタンプ、又はその両方を示す情報を含み得る。
【００５５】
先の実施形態のうちいずれにおいても、送信されるモビリティ情報は、ＧＰＳ受信器又は他のＧＮＳＳ（Global  Navigation  Satellite  System）受信器から取得されるスピード情報を含んでよい。送信されるモビリティ情報は、ドップラー測定、Ｗｉ−Ｆｉ測位ソリューション、及び他のローカルエリア測位技術のうち少なくとも１つから判定されるスピード情報を搬送する、汎用的な情報要素を含んでもよい。いくつかの実施形態では、送信されるモビリティはまた、移動端末により検出されたが訪問していないセルのリスト、及び各セルについての対応するタイムスタンプ情報も含んでもよい。
【００５６】
図４は、移動端末における実装に好適な汎用化された方法を示したが、図５の処理フロー図は、ＬＴＥのｅＮｏｄｅＢといった基地局における実装に好適な補完的方法を示す。
【００５７】
ブロック５１０に示すように、図示される方法は、選択的に、移動端末に対する構成情報の送信により開始する。当該構成データは、モビリティ情報をレポートするためのフォーマットを指定し、若しくはレポートするセルの数を指定し、又はその両方を指定する。図４の処理フロー図に関連して上述したように、この動作は、発明の全ての実施形態において、又は方法が実行される全ての場合において現れない可能性がある。このため、このステップは図５において“選択的に”と示されている。
【００５８】
ブロック５２０で示すように、方法は続いて（又は、ブロック５１０で示される動作が省略される場合、開始して）、アイドル状態から接続済み状態への遷移に応じて又は当該遷移に関連して移動端末により送信されるモビリティ情報が受信される。モビリティ情報は、上述した情報要素及び／又は情報タイプのうちいずれを含んでもよい。方法は続いて、ブロック５３０において示されるように、受信した情報に基づいて基地局により移動端末についての初期スピード推定が判定される。
【００５９】
いくつかの実施形態では、モビリティ情報のうち少なくともある部分は、無線通信ネットワークとのＲＲＣ接続の確立を要求するメッセージ内において受信される。いくつかの実施形態では、モビリティ情報の全ての部分は、無線通信ネットワークとのＲＲＣ接続のセットアップの完了を示すメッセージ内において受信される。この情報は、例えば、RRCConnectionSetupCompleteメッセージ内において受信されてもよい。同様に、モビリティ情報のうちある部分又は全ては、ＲＲＣ再構成手続の一部として送信されるメッセージ内において受信されてもよい。
【００６０】
上述した方法及び技術のうちある部分は、図６に図示されるような無線送受信装置において実装されるであろうことを、当業者は理解するであろう。図６は、ＬＴＥ  ＵＥといった移動端末において実現される、本技術に関連するコンポーネントのごく一部を示す。
【００６１】
図示される装置は、無線回路６１０及びベースバンド＆制御処理回路６２０を含む。無線回路６１０は、典型的には、ＬＴＥについての３ＧＰＰ標準といった特定の通信標準に従って、既知の無線処理及び信号処理コンポーネント及び技術を使用する、受信回路及び送信回路を含む。そのような回路の設計に関する様々な詳細及び工学的トレードオフは周知であり、発明の完全な理解には不必要であるため、さらなる詳細についてここでは示さない。
【００６２】
ベースバンド＆制御処理回路６２０は、１つ以上のマイクロプロセッサ又はマイクロコントローラ６３０を含むとともに、デジタル信号プロセッサ（ＤＳＰ）、専用デジタルロジック等の他のデジタルハードウェア６３５も含む。マイクロプロセッサ６３０及びデジタルハードウェアのいずれか又は両方が、無線パラメータ６４４と共にメモリ６４０に格納されるプログラムコード６４２を実行するように構成され得る。この場合も同様に、モバイル装置のためのベースバンド処理回路の設計に関する様々な詳細及び工学的トレードオフは周知であり、発明の完全な理解には不必要であるため、さらなる詳細についてここでは示されない。
【００６３】
読み取り専用メモリ（ＲＯＭ）、ランダムアクセスメモリ、キャッシュメモリ、フラッシュメモリ装置、光学式記憶装置等といった１つ又は複数の種類のメモリを含み得るメモリ回路６４０に格納されるプログラムコード６４２は、１つ以上の通信及び／又はデータ通信プロトコルを実行するためのプログラム命令を含むとともに、複数の実施形態において本明細書に記載した１つ以上の技術を実現するための命令も含む。無線パラメータ６４４は、予め定義される１つ以上のパラメータを含み得る。
【００６４】
したがって、発明の様々な実施形態において、図６のベースバンド＆制御処理回路６２０のような処理回路は、上述された上述の１つ以上の技術、特に、図４において汎用的に図示され、上で詳細に述べられた技術を実現するように構成される。同様に、他の実施形態は、１つ以上のこれらの技術を実現するように構成される制御処理回路を含む。いくつかの場合において、これらの処理回路は、本明細書に記載される１つ以上の技術を実装するために、１つ以上の好適なメモリ装置に格納される適切なプログラムコードで構成される。よって、例えば、発明のいくつかの実施形態に係る例としての移動端末は、無線ユニット及び処理ユニットを含み、処理ユニットは、アイドル状態から接続済み状態への移動端末の遷移を検出し、及び検出される遷移に応じて又は遷移に関連して、無線通信ネットワーク内の基地局へ無線ユニットを使用してモビリティ情報を送信するように構成される。当然ながら、これらの技術のステップ群のうちの全てが必ずしも単一のマイクロプロセッサにおいて実行されるわけではなく、又は単一のモジュールにおいてですらそうであることが理解されるであろう。
【００６５】
同様に、上述した技術のいくつかは、３ＧＰＰ無線ネットワークにおけるｅＮｏｄｅＢといった基地局において実装され得る。図７は、１つの可能性のある基地局のいくつかのコンポーネントを示し、本技術に関するごくわずかのコンポーネントを示す、ブロック図である。無線システム設計における当業者は、これらのコンポーネントが基地局又は移動端末の使用のために適合されるように、これらのコンポーネントの詳細な設計は変化することを理解するであろうが、図示されるネットワークノードのいくつかの態様は、図６の類似の特徴に対応していることが理解されるであろう。
【００６６】
図示される装置は、無線回路７１０及びベースバンド＆制御処理回路７２０を含む。無線回路７１０は、典型的には、ＬＴＥについての３ＧＰＰ標準といった特定の通信標準に従って、既知の無線処理及び信号処理コンポーネント及び技術を使用する、受信回路及び送信回路を含む。そのような回路の設計及び実装に関する様々な詳細及び工学的トレードオフは周知であり、発明の完全な理解には不必要であるため、更なる詳細についてここでは示さない。
【００６７】
ベースバンド＆制御処理回路７２０は、１つ以上のマイクロプロセッサ又はマイクロコントローラ７３０を含むとともに、デジタル信号プロセッサ（ＤＳＰ）、専用デジタルロジック等の他のデジタルハードウェア７３５も含む。マイクロプロセッサ７３０及びデジタルハードウェアのいずれか又は両方が、無線パラメータ７４４と共にメモリ７４０に格納されるプログラムコード７４２を実行するように構成され得る。この場合も同様に、無線基地局及び他のネットワークノードのためのベースバンド／制御処理回路の設計に関する様々な詳細及び工学的トレードオフは周知であり、発明の完全な理解には不必要であるため、さらなる詳細についてここでは示されない。
【００６８】
送信装置７１０は、無線ネットワーク内の他のノードと通信するために構成されるネットワークインタフェース回路７５０をさらに含む。特にｅＮｏｄｅＢにおいては、このネットワークインタフェース回路は、３ＧＰＰ仕様により定義されるＸ２インタフェースを使用して他のノードと通信するように構成される。
【００６９】
読み取り専用メモリ（ＲＯＭ）、ランダムアクセスメモリ、キャッシュメモリ、フラッシュメモリ装置、光学式記憶装置等といった１つ又は複数の種類のメモリを含み得るメモリ回路７４０に格納されるプログラムコード７４２は、１つ以上の通信及び／又はデータ通信プロトコルを実行するためのプログラム命令を含むとともに、複数の実施形態において本明細書に記載した１つ以上の技術を実現するための命令も含む。無線パラメータ７４４は、予め定められた構成パラメータとともに、システム測定等から判定されるパラメータも含む。
【００７０】
したがって、発明の様々な実施形態において、図６のベースバンド＆制御処理回路６２０のような処理回路は、モビリティレポート情報を改善するための上述の１つ以上の技術、特に、図４において汎用的に図示され、上で詳細に述べられた技術を実現するように構成される。同様に、他の実施形態は、１つ以上のこれらの技術を実現するように構成される制御処理回路を含む。いくつかの場合において、これらの処理回路は、本明細書に記載される１つ以上の技術を実装するために、１つ以上の好適なメモリ装置に格納される適切なプログラムコードで構成される。よって、例えば、発明のいくつかの実施形態に係る例としての基地局は、無線ユニット及び処理ユニットを含み、処理ユニットは、無線ユニットを介して、アイドル状態から接続済みへの遷移に応じて又は遷移に関連して、移動端末により送信されるモビリティ情報を受信し、受信されるモビリティ情報に基づいて、移動端末についての初期スピード推定を判定する、ように構成される。当然ながら、これらの技術のステップ群のうちの全てが必ずしも単一のマイクロプロセッサにおいて実行されるわけではなく、又は単一のモジュールにおいてですらそうであることが理解されるであろう。
【００７１】
本発明のいくつかの実施形態の例は、添付された特定の実施形態の図示を参照して上で詳細に記載された。当然ながら、コンポーネント又は技術の全ての考えられる組み合わせを記載することはできないため、本発明は、発明の本質的な特徴から逸脱することなくここで特に説明するものとは別の方法で実装され得ることを、当業者は理解するであろう。前述の説明及び関連する図面に提示された教示の利益を有する開示された発明の修正及び他の実施形態は、当業者に思い浮かぶであろう。したがって、本発明は、開示される特定の実施形態に限定されるべきでなく、修正及び他の実施形態は、本開示の範囲内に含まれることが意図されると理解されるべきである。特定の用語が本明細書中で採用され得るが、それらは、限定の目的ではなく汎用的かつ説明的な意味においてのみ使用される。本実施形態は、したがって全ての点において、制限的ではなく例示的なものとして考慮されるべきである。
【００７２】
参考文献
下記の参考文献は、前述の説明において言及される、基礎となるプロトコル及びメッセージフォーマットの詳細を仕様化し、本開示の肝要な部分と考えられるべきである。本出願の出願日の時点で、これらの参考文献の最新の発行バージョンは、本明細書中の参照によりここに組み込まれる。
[1]  3GPP  TS  36.331,  “Radio  Resource  Control  (RRC)  Protocol  Specification”
[2]  3GPP  TS  36.423,  “Evolved  Universal  Terrestrial  Radio  Access  Network  (E-UTRAN);  X2  application  protocol  (X2AP)”
[3]  3GPP  TR  36.300,  Evolved  Universal  Terrestrial  Radio  Access  (E-UTRA)  and  Evolved  Universal  Terrestrial  Radio  Access  Network  (E-UTRAN);  Overall  description;  Stage  2
[4]  3GPP  TS  36.304,  “Evolved  Universal  Terrestrial  Radio  Access  (E-UTRA);  User  Equipment  (UE)  procedures  in  idle  mode”
[5]  3GPP  TS  36.355,  “Evolved  Universal  Terrestrial  Radio  Access  (E-UTRA);  LTE  Positioning  Protocol  (LPP)”
【図１】
2015527842.tif 000004
【図２】
2015527842.tif 000005
【図３】
2015527842.tif 000006
【図４】
2015527842.tif 000007
【図５】
2015527842.tif 000008
【図６】
2015527842.tif 000009
【図７】
2015527842.tif 000010
【国際調査報告】
2015527842.tif 000011
2015527842.tif 000012
2015527842.tif 000013